(57)【要約】【課題】  表面を傷付けたり、汚すことなくフックを利用でき、また不使用時にフックを紛失したり、扉の美感や台所等の雰囲気を損ねることがないよう、更には不使用時に露出しているフックで腕や足等をぶつけて怪我をすることがないようにする。【解決手段】  手提げ袋その他の被懸吊物１を引っ掛けるためのフック２を上部に備えて形成する。フック２を、扉３の裏側に、裏面３ａに沿った横向き状の軸部材４で回動自在に取り付け、軸部材４を中心に上端面３ｂを越えて表側に返し、引っ掛け部２ａを上向きにして配置自在に形成する。【選択図】      図１
2009007867.tif 000002
【特許請求の範囲】
【請求項１】
手提げ袋その他の被懸吊物を引っ掛けるためのフックを上部に備えて形成されているキャビネットの扉であって、上記のフックが、裏側に、裏面に沿った横向き状の軸部材で回動自在に取り付けられ、この軸部材を中心に上端面を越えて表側に返され、引っ掛け部を上向きにして配置自在に形成されていることを特徴とするキャビネットの扉。
【請求項２】
請求項１記載のキャビネットの扉であって、フックを収納するための凹みが、裏側の上部に、上端面から切り欠き状に形成され、この凹みにフックが軸部材で取り付けられていることを特徴とするキャビネットの扉。
【請求項３】
請求項２記載のキャビネットの扉であって、凹みが、裏側に対応する正面と、上方に対応する上面の二面が開口された箱形の化粧部材で形成されていることを特徴とするキャビネットの扉。
【請求項４】
手提げ袋その他の被懸吊物を引っ掛けるためのフックを垂直面の凹部に出没自在に備えて形成されているキャビネットの扉であって、上記のフックが、凹部に、縦向き状の軸部材で反転自在に取り付けられ、フックの上向き状の引っ掛け部が凹部に没するとフックの背板で凹部の開口面が閉塞されることを特徴とするキャビネットの扉。
【請求項５】
請求項４記載のキャビネットの扉であって、凹部の開口面に対応する正面を開口した箱形の化粧材で凹部が形成され、凹部の開口面がフックの背板で閉塞されるとフックを仮止めするストッパーを備えて形成されていることを特徴とするキャビネットの扉。
【発明の詳細な説明】
【技術分野】
【０００１】
本発明はキャビネットの扉に関し、更に詳しくは例えば樹脂製のショッピングバッグ等を吊り下げることができるよう形成したキャビネットの扉に関するものである。
【背景技術】
【０００２】
従来、キャビネットの扉にショッピングバッグ等の吊り下げを可能にした発明としては、扉の上端部に嵌め込み、垂直片の上下位置に引掛片を備えている吊り下げ具がある（例えば特許文献１参照）。
而してこの特許文献１の従来品は、フックに関するものであり、これは通常の吸盤式等のフックと同様、扉に後付けして使用するものであった。
従ってこれによると、装着時に扉を擦って傷付けたり、表面を汚す惧れがあっただけではなく、不使用時に取り外すと、紛失したり、その始末に困る、という問題があった。
またこの従来品は、不使用時に放置すると、扉の美感や台所等の雰囲気を損ね、更には手足等をぶつけて怪我をする、という問題があった。
【特許文献１】特開２００３−１０４５０３号公報
【発明の開示】
【発明が解決しようとする課題】
【０００３】
本発明は、このような従来の実情に鑑み、提案されたものである。
従って本発明の解決しようとする技術的課題は、表面を傷付けたり、汚すことなくフックを利用でき、また不使用時にフックを紛失したり、扉の美感や台所等の雰囲気を損ねることがないよう、更には不使用時に露出しているフックで腕や足等をぶつけて怪我をすることがないよう形成したキャビネットの扉を提供することにある。
【課題を解決するための手段】
【０００４】
本発明は、上記の課題を解決するため、次のような技術的手段を採る。
即ち本発明は、図１等に示されるように、手提げ袋その他の被懸吊物１を引っ掛けるためのフック２を上部に備えて形成されているキャビネットの扉３であって、上記のフック２が、裏側に、裏面３ａに沿った横向き状の軸部材４で回動自在に取り付けられ、この軸部材４を中心に上端面３ｂを越えて表側に返され、引っ掛け部２ａを上向きにして配置自在に形成されていることを特徴とする（請求項１）。
【０００５】
この場合、本発明は、フック２を収納するための凹み５が、裏側の上部に、上端面３ｂから切り欠き状に形成され、この凹み５にフック２が軸部材４で取り付けられているのが好ましい（請求項２）。
なぜならこれによると、フック２が裏側に出っ張ることを防止でき、組立や運搬時等に平板状に積層でき、使い勝手が良くなるからである。
【０００６】
またこの本発明の場合、凹み５は、図５等に示されるように、裏側に対応する正面９ａと、上方に対応する上面９ｂの二面が開口された箱形の化粧部材９で形成されているのが好ましい（請求項３）。
なぜならこれによると、裏側を切り欠き加工した後、表面の仕上げ加工を行うことなく、化粧部材９を接着等の手段で取り付けるだけで、凹み５を、簡単、迅速に、且つ綺麗に仕上げることができるからである。またこの場合は、化粧部材９を介して軸部材４の取り付け作業を楽にできるからである。
【０００７】
また本発明の課題を達成する他の構成としては、図１０〜図１５に示されるように形成されるものがある。
【０００８】
即ち、この本発明は、手提げ袋その他の被懸吊物１を引っ掛けるためのフック２を垂直面３ｃの凹部１２に出没自在に備えて形成されているキャビネットの扉３であって、上記のフック２が、凹部１２に、縦向き状の軸部材４で反転自在に取り付けられ、フック２の上向き状の引っ掛け部２ａが凹部１２に没するとフック２の背板２１で凹部１２の開口面１２ａが閉塞されることを特徴とする（請求項４）。
【０００９】
この本発明は、凹部１２の開口面１２ａに対応する正面１３ａを開口した箱形の化粧材１３で凹部１２が形成され、凹部１２の開口面１２ａがフック２の背板２１で閉塞されるとフック２を仮止めするストッパー１５を備えて形成されているのが好ましい（請求項５）。
なぜならこれによると、凹部１２を化粧材１３で簡単、迅速、且つ綺麗に形成でき、またストッパー１５によってフック２の背板２１が振動等で揺れることを防止でき、凹部１２の開口面１２ａをしっかりと閉塞できるからである。
【発明の効果】
【００１０】
本発明は、このように被懸吊物を引っ掛けるためのフックを、裏側に、裏面に沿った横向き状の軸部材で回動自在に取り付け、この軸部材を中心に上端面を越えて表側に返し、引っ掛け部を上向きにして配置自在に形成しているものである。
従って本発明によると、表面を傷付けたり、汚すことなくフックを利用でき、またフックを使用するときだけ表側に返して露出させ、不使用時は裏側に配置して隠すことができるから、これによれば不使用時にフックを紛失したり、フックの始末に困る、という問題を解消できる。
またこれによると、不使用時に隠すことができるから、扉の美感や台所等の雰囲気を損ねることがなく、更には不使用時に腕や足等をフックにぶつけて怪我をすることがない。
また請求項４記載の本発明品は、手提げ袋その他の被懸吊物を引っ掛けるためのフックを垂直面の凹部に、縦向き状の軸部材で反転自在に取り付け、フックの上向き状の引っ掛け部が凹部に没すると、フックの背板で凹部の開口面を閉塞するよう形成しているものである。
従ってこの場合も、請求項１に係る本発明と同様、表面を傷付けたり、汚すことなくフックを利用できる。
またこの場合は、フックを使用するときだけ表側に返して露出させ、不使用時は凹部に納め、凹部の開口面をフックの背板で隠すことができるから、これによれば、不使用時にフックを紛失したり、フックの始末に困る、という問題を解消でき、また扉の美感や台所等の雰囲気を損ねることがないだけではなく、不使用時に露出しているフックで腕や足等をぶつけて怪我をする、という問題も一掃できる。
【発明を実施するための最良の形態】
【００１１】
以下、本発明を実施するための最良の形態を説明する。
本発明は、図１、図２等に示されるように、手提げ袋その他の被懸吊物１を引っ掛けるためのフック２を上部に備えて形成されているキャビネットの扉３である。
【００１２】
上記のフック２は、扉３の裏側に、裏面３ａに沿った横向き状の軸部材４で回動自在に取り付けられ、この軸部材４を中心に上端面３ｂを越えて表側に返され、引っ掛け部２ａを上向きにして配置自在に形成されている。このフック２は、この実施形態では上記の引っ掛け部２ａと、これに連なる水平状の板部２ｂと、この板部２ｂから鉤形に延びる垂直部２ｃとで断面クランク形に、且つ横方向（幅方向）の寸法が前側から奥側にわたって同じ状態に形成されている。
【００１３】
５は、フック２を収納するための凹みである。この凹み５は、裏側の上部に、上端面３ｂから切り欠き状に形成されている。フック２は、裏側に出っ張ることがないよう、この凹み５に軸部材４で取り付けられている。
【００１４】
６は、フック２を凹み５に取り付けるための取付金具である。この取付金具６は、この実施形態では下側のネジ孔６ａを利用してネジ７で凹み５の所定位置に固定されている。またこの取付金具６は、ネジ孔６ａの上側に、軸部材４を差し込むための孔６ｂが形成されている。
【００１５】
上記の軸部材４は、図４に示されるように、軸４ａを外側に弾発するコイルスプリング４ｂを軸筒４ｃ内に備えて形成されている。この軸部材４は、図３等に示されるように、フック２の両側端面の上部の嵌め込み孔８に、軸４ａを側方に突き出した状態で軸筒４ｃが差し込まれて取り付けられるものである。また軸部材４の軸４ａは、凹み５に固定された取付金具６の上部の孔６ｂに差し込まれ、フック２はこれにより凹み５に取り付けられるものである。なお軸部材４の軸４ａは、コイルスプリング４ｂの作用により、フック２の取り付け時に、一旦、軸筒４ｃ内に押し込まれた後、取付金具６の孔６ｂに入り込むと復元するよう動作する。
【００１６】
次に本発明品の作用を、図１等に従って説明する。
フック２は、不使用時は、凹み５に収納されている（図１Ｂ参照）。この状態から、使用者が、扉３の表側にフック２を手指で返すと、フック２は軸部材４を中心に表側に回動し、図１Ｃに示されるように、上端面３ｂに水平状の板部２ｂが載せられ、引っ掛け部２ａを上向きにして表側に配置される。
従って使用者は、この状態で図１Ｃ、図２に示されるように、フック２の引っ掛け部２ａに手提げ袋等の被懸吊物１を引っ掛けて吊り下げる。また本発明の場合、フック２を隠す場合は、扉３の裏側にフック２を返し、凹み５にフック２を収納させるものである。
【００１７】
以上の処において、上例ではフック２が凹み５に収納されているが、本発明は、これに限定されるものではなく、フック２が扉３の裏面３ａから突き出された状態で裏側に設けられているのでも良い。また本発明の場合、フック２の形態は、任意である。
【００１８】
また本発明の場合、上記の凹み５は、図５〜図９に示されるように、裏側に対応する正面９ａと、上方に対応する上面９ｂの二面が開口された箱形の化粧部材９で形成されているのでも良い。
【００１９】
化粧部材９は、この実施形態では正面９ａ側の周りと、上面９ｂの両側の上端に、幅広状の縁取り１０が形成されている。この実施形態の本発明品は、先ず扉３の裏側の上部が凹段差状に加工される。そして次にこの凹段差部１１に、化粧部材９が、正面９ａを裏側に向けた状態で、例えば接着等の手段で固定されることにより、凹み５が形成される。この場合、化粧部材９は、凹段差部１１に嵌め込まれると、縁取り１０が凹段差部１１の周りに係合するため、見栄え良く、取り付けることができる。
【００２０】
また化粧部材９は、図５に示されるように、両側に、軸部材４を差し込むための貫通孔９ｃが形成されている。軸部材４の構造は、上例と同様である。従ってこの実施形態の本発明品は、同図に示されるように、軸部材４は、フック２の両側端面の嵌め込み孔８に軸筒４ｃが差し込まれて固定され、軸４ａが化粧部材９の貫通孔９ｃに差し込まれることにより、フック２が、化粧部材９に回動自在に取り付けられるものである。またこの実施形態の場合も、フック２は、図８Ａに示される状態から、扉３の表側に返されることで、同図Ｂに示されるように、引っ掛け部２ａが上向き状に配置され、被懸吊物１の引っ掛けが可能になるものである。
【００２１】
次に請求項４に記載の本発明品の好適な一実施形態を、図１０〜図１５に従って説明する。上例と同一箇所、同一の部材に関しては、同一の番号を付し、詳しい説明は省略する。
【００２２】
この実施形態の本発明品は、手提げ袋その他の被懸吊物１を引っ掛けるためのフック２を、前側の垂直面３ｃの凹部１２に出没自在に備えて形成されている。上記のフック２は、この凹部１２に、縦向き状の軸部材４で反転自在に取り付けられ、フック２の上向き状の引っ掛け部２ａが凹部１２に没すると、フック２の背板２１で凹部１２の開口面１２ａが閉塞されるよう形成されている。
【００２３】
１３は、凹部１２の開口面１２ａに対応する正面１３ａを開口した箱形の化粧材である。凹部１２は、この実施形態ではこの化粧材１３が、一次加工された凹段差状部１４に嵌め込まれて接着等の手段で固定されることにより、形成されている。なおこの化粧材１３は、凹部１２を綺麗に形作ることができるよう、また凹段差状部１４との係合状態が良くなるよう、正面１３ａ側の周り１３ｂが、幅広状に縁取られている。
【００２４】
フック２を凹部１２に取り付ける軸部材４は、上例と同様に形成されている。そしてこの軸部材４は、図１０、図１１等に示されるように、フック２の左右方向の中央部の上下端の嵌め込み孔８に、軸筒４ｃが差し込まれて縦向きに設けられ、軸４ａは化粧材１３の貫通孔９ｃに差し込まれる。そしてこれにより、フック２が化粧材１３に軸部材４を中心に回動自在に取り付けられるものである。
【００２５】
また１５は、凹部１２の開口面１２ａがフック２の背板２１で閉塞されると、フック２を仮止めするストッパーである。このストッパー１５は、この実施形態では化粧材１３の底面に突条に形成され、フック２の下面が掛かり合うことで、一時的に係止されるよう形成されている。
【００２６】
而してこの本発明品は、図１３Ｂ、図１４に示されるように、被懸吊物１を吊るす場合は、縦向きの軸部材４を中心に、フック２を反転させ、フック２の引っ掛け部２ａを、扉３の表側に配置して使用する。また不使用時は、軸部材４を中心にフック２を反転させ、引っ掛け部２ａを凹部１２に納めて使用する。このとき、図１３Ａ、図１５に示されるように、凹部１２の開口面１２ａは、フック２の背板２１で閉塞される。
【００２７】
以上の処において、上例では凹部１２が、扉３の前側の垂直面３ｃに設けられているが、本発明品は、凹部１２が、扉３の裏側の垂直面３ｃに設けられているのでも良い。
また本発明の場合、上記のストッパー１５の構成は任意である。
【図面の簡単な説明】
【００２８】
【図１】本発明の扉の好適な一実施形態を示し、Ａは扉の要部背面図、ＢはＡのＢ−Ｂ線断面図、Ｃは作用を説明するための要部断面図である。
【図２】フックの使用状態を説明するための要部斜視図である。
【図３】同上扉の要部分解斜視図である。
【図４】同上扉の要部断面図である。
【図５】同上扉の他の実施形態を示す要部分解斜視図である。
【図６】図５の実施形態の要部断面図である。
【図７】図５の実施形態の要部背面図である。
【図８】Ａは図７のＶＩＩＩＡ−ＶＩＩＩＡ線断面図、Ｂは作用を説明するための要部断面図である。
【図９】フックの使用状態を説明するための要部斜視図である。
【図１０】同上扉の他の構成を示す要部分解斜視図である。
【図１１】図１０に係る本発明品の要部断面図である。
【図１２】図１０に係る本発明品の要部背面図である。
【図１３】Ａは図１２のＸＩＩＩＡ−ＸＩＩＩＡ線断面図、Ｂは作用を説明するための要部断面図である。
【図１４】図１０に係る本発明品の使用状態を説明するための要部斜視図である。
【図１５】図１０に係る本発明品の使用状態を説明するための要部斜視図である。
【符号の説明】
【００２９】
１      被懸吊物
２      フック
２ａ    引っ掛け部
３      扉
３ａ    裏面
３ｂ    上端面
４      軸部材
【図１】
2009007867.tif 000003
【図２】
2009007867.tif 000004
【図３】
2009007867.tif 000005
【図４】
2009007867.tif 000006
【図５】
2009007867.tif 000007
【図６】
2009007867.tif 000008
【図７】
2009007867.tif 000009
【図８】
2009007867.tif 000010
【図９】
2009007867.tif 000011
【図１０】
2009007867.tif 000012
【図１１】
2009007867.tif 000013
【図１２】
2009007867.tif 000014
【図１３】
2009007867.tif 000015
【図１４】
2009007867.tif 000016
【図１５】
2009007867.tif 000017